(57)【要約】【課題】注液型電池の迅速な起動を実現し得る電池システムを提供する。【解決手段】電池システムは、電解液及び電解液を調製するための溶媒の少なくとも一方の液体を貯留する貯留容器と、液体を供給することによって成立する注液型電池と、貯留容器と注液型電池とを接続する液体供給流路と、液体供給流路に配設される弁と、液体供給流路に配設される第１の加熱装置と、弁及び第１の加熱装置を制御する第１の制御装置と、を備える。第１の制御装置は、注液型電池への液体の供給を開始するために、弁を開状態とする際に、液体の加熱を開始するために、第１の加熱装置を作動させる。【選択図】図１
2015115098.tif 000002
【特許請求の範囲】
【請求項１】
電解液及び電解液を調製するための溶媒の少なくとも一方の液体を貯留する貯留容器と、
上記液体を供給することによって成立する注液型電池と、
上記貯留容器と上記注液型電池とを接続する液体供給流路と、
上記液体供給流路に配設される弁と、
上記液体供給流路に配設される第１の加熱装置と、
上記弁及び上記第１の加熱装置を制御する第１の制御装置と、
を備え、
上記第１の制御装置が、上記注液型電池への上記液体の供給を開始するために、上記弁を開状態とする際に、上記液体の加熱を開始するために、上記第１の加熱装置を作動させる
ことを特徴とする電池システム。
【請求項２】
上記第１の加熱装置が、過冷却状態となりえる物質と、該物質の結晶化を開始させる結晶化開始装置とを有し、
上記第１の制御装置が、上記第１の加熱装置を作動させるために、上記結晶化開始装置を作動させる
ことを特徴とする請求項１に記載の電池システム。
【請求項３】
上記第１の加熱装置が、上記物質の相状態を検知する相センサを有することを特徴とする請求項２に記載の電池システム。
【請求項４】
上記第１の加熱装置が、上記物質の温度を検知する温度センサと、該物質を加熱する第２の加熱装置とを有することを特徴とする請求項２又は３に記載の電池システム。
【請求項５】
上記第１の加熱装置が、燃焼可能な還元剤の燃焼を開始させる点火装置と、該点火装置に該還元剤を供給する第１の供給装置とを有し、
上記第１の制御装置が、上記第１の加熱装置を作動させるために、上記点火装置及び上記第１の供給装置を作動させる
ことを特徴とする請求項１に記載の電池システム。
【請求項６】
上記第１の加熱装置が、上記液体の温度を検知する温度センサと、上記還元剤の燃焼状態を制御する第２の制御装置とを有することを特徴とする請求項５に記載の電池システム。
【請求項７】
上記還元剤が交換又は追加可能であることを特徴とする請求項５又は６に記載の電池システム。
【請求項８】
上記還元剤が炭化水素であることを特徴とする請求項５〜７のいずれか１つの項に記載の電池システム。
【請求項９】
上記第１の加熱装置が、還元剤を有する触媒燃焼装置と、該触媒燃焼装置に酸化剤を供給する第２の供給装置とを有し、
上記第１の制御装置が、上記第１の加熱装置を作動させるために、上記第２の供給装置を作動させる
ことを特徴とする請求項１に記載の電池システム。
【請求項１０】
上記還元剤が水素より標準電極電位が低い金属であることを特徴とする請求項９に記載の電池システム。
【請求項１１】
上記第１の加熱装置が、外部からエネルギー供給されて作動するヒートポンプの高温部を有することを特徴とする請求項１に記載の電池システム。
【請求項１２】
上記第１の加熱装置が、他の電池システムから給電されて作動する第３の加熱装置を有することを特徴とする請求項１に記載の電池システム。
【請求項１３】
上記第１の加熱装置が、上記液体の温度を検知する温度センサと、上記第３の加熱装置を制御する第３の制御装置とを有することを特徴とする請求項１２に記載の電池システム。
【発明の詳細な説明】
【技術分野】
【０００１】
本発明は、電池システムに関する。更に詳細には、本発明は、注液型電池の迅速な起動を実現し得る電池システムに関する。
【背景技術】
【０００２】
従来、電池ケースの内部に収容した潜熱放出液から確実に潜熱を放出させて、低温下の発電要素を加熱し、その温度を上昇させることができる電池システムが提案されている（特許文献１参照。）。この電池システムは、電池及び凝固開始部材移動手段を備える。そして、電池は、発電要素と、潜熱放出液容器と、電池ケースとを含む。また、潜熱放出液容器は、過冷却状態から固体状態への凝固により潜熱を放出可能な潜熱放出液、及び、潜熱放出液内に保持され、自身の潜熱放出液に対する相対移動により、潜熱放出液の過冷却状態から固体状態への凝固の起点となる凝固開始部材を液密に収容してなるものである。更に、電池ケースは、発電要素及び上記潜熱放出液容器を、自身の内部に収容してなるものである。そして、凝固開始部材移動手段は、潜熱放出液容器内の凝固開始部材について、凝固の起点となる移動を起こさせるものである。
【先行技術文献】
【特許文献】
【０００３】
【特許文献１】特開２００８−１９８３９０号公報
【発明の概要】
【発明が解決しようとする課題】
【０００４】
しかしながら、特許文献１に記載の電池システムにあっては、電池の起動に時間が掛かるという問題点があった。
【０００５】
本発明者らは、このような従来技術の有する課題に鑑みてなされたものである。そして、本発明は、注液型電池の迅速な起動を実現し得る電池システムを提供することを目的とする。
【課題を解決するための手段】
【０００６】
本発明者らは、上記目的を達成するため鋭意検討を重ねた。そして、その結果、注液型電池への電解液等の供給と連動して電解液等を加熱する構成とすることにより、上記目的が達成できることを見出し、本発明を完成するに至った。
【０００７】
すなわち、本発明の電池システムは、電解液及び電解液を調製するための溶媒の少なくとも一方の液体を貯留する貯留容器と、液体を供給することによって成立する注液型電池と、貯留容器と注液型電池とを接続する液体供給流路と、液体供給流路に配設される弁と、液体供給流路に配設される第１の加熱装置と、弁及び第１の加熱装置を制御する第１の制御装置と、を備えたものである。そして、第１の制御装置は、注液型電池への液体の供給を開始するために、弁を開状態とする際に、液体の加熱を開始するために、第１の加熱装置を作動させるものである。
【発明の効果】
【０００８】
本発明によれば、電解液及び電解液を調製するための溶媒の少なくとも一方の液体を貯留する貯留容器と、液体を供給することによって成立する注液型電池と、貯留容器と注液型電池とを接続する液体供給流路と、液体供給流路に配設される弁と、液体供給流路に配設される第１の加熱装置と、弁及び第１の加熱装置を制御する第１の制御装置と、を備え、第１の制御装置が、注液型電池への液体の供給を開始するために、弁を開状態とする際に、液体の加熱を開始するために、第１の加熱装置を作動させる構成とした。そのため、注液型電池の迅速な起動を実現し得る電池システムを提供することができる。
【図面の簡単な説明】
【０００９】
【図１】図１は、第１の形態に係る電池システムの構成概略図である。
【図２】図２は、第２の形態に係る電池システムの構成概略図である。
【図３】図３は、第３の形態に係る電池システムの構成概略図である。
【図４】図４は、第４の形態に係る電池システムの構成概略図である。
【図５】図５は、第４の形態に係る電池システムにおける処理フローの一例を説明するフロー図である。
【図６】図６は、第５の形態に係る電池システムの構成概略図である。
【図７】図７は、第６の形態に係る電池システムの構成概略図である。
【図８】図８は、第６の形態に係る電池システムにおける処理フローの一例を説明するフロー図である。
【図９】図９は、第７の形態に係る電池システムの構成概略図である。
【図１０】図１０は、第８の形態に係る電池システムの構成概略図である。
【図１１】図１１は、第９の形態に係る電池システムの構成概略図である。
【図１２】図１２は、第１０の形態に係る電池システムの構成概略図である。
【発明を実施するための形態】
【００１０】
以下、本発明の一形態に係る電池システムについて図面を参照しながら詳細に説明する。なお、以下の形態で引用する図面の寸法比率は、説明の都合上誇張されており、実際の比率とは異なる場合がある。
【００１１】
＜第１の形態＞
まず、第１の形態に係る電池システムについて図面を参照しながら詳細に説明する。図１は、第１の形態に係る電池システムの構成概略図である。図１に示すように、電池システム１は、電解液及び電解液を調製するための溶媒の少なくとも一方の液体を貯留する貯留容器１０と、液体を供給することによって成立する注液型電池２０と、貯留容器１０と注液型電池２０とを接続する液体供給流路３０と、液体供給流路３０に配設される弁４０と、液体供給流路３０に配設される第１の加熱装置５０と、弁４０及び第１の加熱装置５０を制御する第１の制御装置６０とを備える。そして、第１の制御装置６０は、注液型電池２０への液体の供給を開始するために、弁４０を開状態とする際に、液体の加熱を開始するために、第１の加熱装置５０を作動させる。
【００１２】
このように、注液型電池の内部への液体の供給を開始するために、弁を開状態とする際に、液体の加熱を開始するために、第１の加熱装置を作動させる構成とすることにより、注液型電池を内部から暖めることができ、注液型電池の迅速な起動を実現することができる。また、周囲の温度環境によらず、安定して注液型電池を起動させることができるという利点もある。更に、注液型電池全体を均一に暖めることができるという利点もある。また、注液型電池の内部に供給される液体が加熱されるため、注液型電池における発電量を向上させることができるという利点もある。
【００１３】
以下、各構成について詳細に説明する。
【００１４】
上記貯留容器１０は、電池システムにおいては少なくとも１つ備えていればよい。しかしながら、これに限定されるものではなく、例えば、電池システムを車両に搭載するに当たり、車両における貯留容器の配置の自由度を高めることができるという観点から、電池システムにおいては複数の貯留容器を備えた構成であってもよい。
【００１５】
また、上記注液型電池２０は、電解液や電解液を調製するための溶媒などを供給することによって成立するものであればよく、特に限定されるものではない。例えば、液体が溶媒である場合には、図示しないが、電解液を調製するための支持塩を注液型電池の内部に予め保持させておく構成としてもよい。また、図示しないが、支持塩を別に貯蔵する構成としてもよい。更に、注液型電池としては、例えば、体積当たりのエネルギー密度が高く、補助電池として車両への搭載が好適であるという観点から、空気電池を適用することが好ましい。なお、図示しないが、複数の注液型電池を有する構成としてもよい。詳しくは後述する。
【００１６】
更に、上記液体供給流路３０としては、液体の供給を制御し得る弁４０と液体を加熱し得る第１の加熱装置５０とが配設されているものであれば、特に限定されるものではない。
【００１７】
また、上記弁４０としては、開閉制御、必要に応じて流量調整制御をすることができれば、特に限定されるものではなく、従来公知の弁を適宜利用することができる。また、電池システムにおいては弁を少なくとも１つ備えていればよいが、複数の弁を備えた構成であってもよい。
【００１８】
更に、上記第１の加熱装置５０としては、注液型電池へ供給される液体を加熱することができるものであれば、特に限定されるものではなく、後述する種々の加熱装置を適宜利用することができる。また、第１の加熱装置は、液体供給流路の内部及び外部のいずれに配設されていてもよく、両方に配設されていてもよい。
【００１９】
また、上記第１の制御装置６０としては、注液型電池への液体の供給を開始するために、弁を開状態とする際に、液体の加熱を開始するために、第１の加熱装置を作動させることができるものであれば、特に限定されるものではない。また、図示しないが、電池システムにおいては、第１の制御装置は、弁を制御する弁制御装置と加熱装置を制御する加熱制御装置とが協働する構成であってもよい。
【００２０】
＜第２の形態＞
次に、第２の形態に係る電池システムについて図面を参照しながら詳細に説明する。なお、上記の形態において説明したものと同等のものについては、それらと同一の符号を付して説明を省略する。図２は、第２の形態に係る電池システムの構成概略図である。図２に示すように、注液システム１Ａにおいては、第１の加熱装置５０が、過冷却状態となりえる物質５１ａと、物質５１ａの結晶化を開始させる結晶化開始装置５１ｂとを有し、第１の制御装置６０が、第１の加熱装置５０を作動させるために、結晶化開始装置５１ｂを作動させる構成が、上述した第１の形態に係る電池システムと相違している。なお、本形態においては、物質５１ａ及び結晶化開始装置５１ｂが協働して、第１の加熱装置５０として機能する。
【００２１】
なお、上記物質５１ａとしては、例えば、塩化カルシウム水和物（融点：２９．７℃、融解熱：１９２ｋＪ／ｋｇ）や硫酸ナトリウム水和物（融点：３２．４℃、融解熱：２５１ｋＪ／ｋｇ）、チオ硫酸ナトリウム水和物（融点：４８℃、融解熱：１９７ｋＪ／ｋｇ）、酢酸ナトリウム水和物（融点：５８℃、融解熱：２６４ｋＪ／ｋｇ）などの無機水和塩やオクタデカン（融点：２８．２℃、融解熱：２４３ｋＪ／ｋｇ）、イコサン（融点：３６．４℃、融解熱：２４７ｋＪ／ｋｇ）、ドコサン（融点：４４℃、融解熱：１５７ｋＪ／ｋｇ）等のパラフィンなど有機化合物を挙げることができる。これらの相変化蓄熱材は、相変化により一定温度で２００ｋＪ／ｋｇ程度の融解熱を放出することができる。しかしながら、これらに限定されるものではなく、従来公知の相変化蓄熱材を適宜利用することができる。
【００２２】
また、上記結晶化開始装置５１ｂとしては、例えば、電気的衝撃、物理的衝撃ないし振動、より具体的には超音波などを上述した物質に与えることができる衝撃付与機構を有するものであれば、特に限定されるものではない。衝撃付与機構としては、例えば、電極に電圧印加する電気回路や超音波照射機などを適用することができる。
【００２３】
このように、第１の加熱装置が、過冷却状態となりえる物質と、物質の結晶化を開始させる結晶化開始装置とを有し、注液型電池の内部への液体の供給を開始するために、弁を開状態とする際に、液体の加熱を開始するために、結晶化開始装置を作動させる構成とすることにより、物質が結晶化する際の潜熱の放出によって、注液型電池を内部から暖めることができ、注液型電池の迅速な起動を実現することができる。特に、（１）温度制御が必要ない構成とすることができる、（２）注液型電池の発電性能が最適な温度で液体を供給することができる、（３）構造を簡素化することができる、（４）繰り返し利用することができるといった利点がある。もちろん、周囲の温度環境によらず、安定して注液型電池を起動させることができる、注液型電池全体を均一に暖めることができるといった利点もある。
【００２４】
＜第３の形態＞
次に、第３の形態に係る電池システムについて図面を参照しながら詳細に説明する。なお、上記の形態において説明したものと同等のものについては、それらと同一の符号を付して説明を省略する。図３は、第３の形態に係る電池システムの構成概略図である。図３に示すように、電池システム１Ｂにおいては、第１の加熱装置５０が、物質５１ａの相状態を検知する相センサ５１ｃを有する構成が、上述した第２の形態に係る電池システムと相違している。なお、本形態においては、物質５１ａ、結晶化開始装置５１ｂ及び相センサ５１ｃが協働して、第１の加熱装置５０として機能する。
【００２５】
なお、上記相センサ５１ｃとしては、例えば、各相を認識し得るセンサであれば、特に限定されるものではなく、例えば、従来公知の超音波センサや光学センサなどを適宜利用することができる。
【００２６】
このように、第１の加熱装置が、過冷却状態となりえる物質と、物質の結晶化を開始させる結晶化開始装置と、物質の相状態を検知する相センサとを有し、予め物質が過冷却状態であることを確認しておき、注液型電池の内部への液体の供給を開始するために、弁を開状態とする際に、液体の加熱を開始するために、結晶化開始装置を作動させる構成とすることにより、物質が結晶化する際の潜熱の放出によって、注液型電池を内部から暖めることができ、注液型電池の迅速な起動をより確実に実現することができる。もちろん、（１）温度制御が必要ない構成とすることができる、（２）注液型電池の発電性能が最適な温度で液体を供給することができる、（３）構造を簡素化することができる、（４）繰り返し利用することができるといった利点もある。更に、周囲の温度環境によらず、安定して注液型電池を起動させることができる、注液型電池全体を均一に暖めることができるといった利点があることは言うまでもない。
【００２７】
＜第４の形態＞
次に、第４の形態に係る電池システムについて図面を参照しながら詳細に説明する。なお、上記の形態において説明したものと同等のものについては、それらと同一の符号を付して説明を省略する。図４は、第４の形態に係る電池システムの構成概略図である。図４に示すように、電池システム１Ｃは、第１の加熱装置５０が、物質５１ａの温度を検知する温度センサ５１ｄと、物質５１ａを加熱する第２の加熱装置５１ｅとを有する構成が、上述した第３の形態に係る電池システムと相違している。なお、本形態においては、物質５１ａ、結晶化開始装置５１ｂ、相センサ５１ｃ、温度センサ５１ｄ及び第２の加熱装置５１ｅが協働して、第１の加熱装置５０として機能する。
【００２８】
このように、第１の加熱装置が、過冷却状態となりえる物質と、物質の結晶化を開始させる結晶化開始装置と、物質の相状態を検知する相センサと、物質の温度を検知する温度センサと、物質を加熱する第２の加熱装置とを有し、予め物質が過冷却状態であることを確認しておき、注液型電池の内部に供給される液体を注液する際に、液体の加熱を開始するために、結晶化開始装置を作動させる構成とすることにより、物質が結晶化する際の潜熱の放出によって、注液型電池を内部から暖めることができ、注液型電池の迅速な起動を確実に実現することができる。また、結晶化して固相状態となった物質を第２の加熱装置により加熱することにより、過冷却状態の物質とすることができ、繰り返し利用することができる。もちろん、（１）温度制御が必要ない構成とすることができる、（２）注液型電池の発電性能が最適な温度で液体を供給することができる、（３）構造を簡素化することができるといった利点もある。更に、周囲の温度環境によらず、安定して注液型電池を起動させることができる、注液型電池全体を均一に暖めることができるといった利点があることは言うまでもない。
【００２９】
ここで、電池システムの処理フローの一例を図面を用いて説明する。図５は、第４の形態に係る電池システムにおける処理フローの一例を説明するフロー図である。
【００３０】
図５に示すように、処理フローは電池システムの起動により開始される。
【００３１】
ステップ１（以下「Ｓ１」と記載する。以下同様。）においては、注液型電池における発電を開始するか否かを判断する。注液型電池における発電を開始すると判断した場合には、Ｓ２に進む。一方、注液型電池における発電を開始しないと判断した場合には、Ｓ６に進む。
【００３２】
Ｓ２においては、貯留容器から供給される液体の温度が予め規定された下限温度より低いか否かを判断する。貯留容器から供給される液体の温度が予め規定された下限温度より低いと判断した場合には、Ｓ３に進む。一方、貯留容器から供給される液体の温度が予め規定された下限温度より低くないと判断した場合には、Ｓ４に進む。なお、規定下限温度は、予備実験により適宜設定すればよい。
【００３３】
Ｓ３においては、結晶化開始装置を作動させ、物質が結晶化する際の潜熱の放出によって、液体の加熱を開始して、Ｓ４に進む。
【００３４】
Ｓ４においては、液体の供給を開始して、Ｓ５に進む。
【００３５】
Ｓ５においては、発電を開始して、電池システムを終了することにより、処理フローが終了する。
【００３６】
また、Ｓ６においては、相センサを作動させ、Ｓ７に進む。
【００３７】
Ｓ７においては、物質が固相であるか否かを判断する。固相であると判断した場合には、Ｓ８に進む。一方、固相でないと判断した場合には、Ｓ１に進む。
【００３８】
Ｓ８においては、外部電源があるか否かを判断する。外部電源があると判断した場合には、Ｓ９に進む。一方、外部電源がないと判断した場合には、電池システムを終了することにより、処理フローが終了する。なお、このときは、物質が固相であることを提示するような構成であることが好ましい。
【００３９】
Ｓ９においては、第２の加熱装置を作動させ、固相である物質を過冷却状態となるように加熱して、Ｓ１に進む。
【００４０】
＜第５の形態＞
次に、第５の形態に係る電池システムについて図面を参照しながら詳細に説明する。なお、上記の形態において説明したものと同等のものについては、それらと同一の符号を付して説明を省略する。図６は、第５の形態に係る電池システムの構成概略図である。図６に示すように、電池システム１Ｄは、第１の加熱装置５０が、燃焼可能な還元剤の燃焼を開始させる点火装置５２ａと、点火装置５２ａに還元剤を供給する第１の供給装置５２ｂとを有し、第１の制御装置６０が、第１の加熱装置５０を作動させるために、点火装置５２ａ及び第１の供給装置５２ｂを作動させる構成が、上述した第１の形態に係る電池システムと相違している。なお、本形態においては、点火装置５２ａ及び第１の供給装置５２ｂが協働して、第１の加熱装置５０として機能する。
【００４１】
なお、燃焼可能な還元剤としては、炭化水素などを好適例として挙げることができるが、これに限定されるものではなく、従来公知の燃料を挙げることができる。還元剤としては、カードリッジ式のように交換可能なものであってもよく、貯蔵式のように追加可能なものであってもよい。
【００４２】
また、上記点火装置５２ａとしては、燃焼可能な還元剤に着火することができるものであれば、特に限定されるものではなく、従来公知の点火装置を適宜利用することができる。
【００４３】
更に、上記第１の供給装置５２ｂとしても、燃焼可能な還元剤を点火装置に供給することができるものであれば、特に限定されるものではなく、従来公知の供給装置を適宜利用することができる。
【００４４】
このように、第１の加熱装置が、燃焼可能な還元剤の燃焼を開始させる点火装置と、点火装置に還元剤を供給する第１の供給装置とを有し、注液型電池の内部への液体の供給を開始するために、弁を開状態とする際に、液体の加熱を開始するために、点火装置及び第１の供給装置を作動させる構成とすることにより、注液型電池を内部から暖めることができ、注液型電池の迅速な起動を簡易な構成で実現することができる。また、周囲の温度環境によらず、安定して注液型電池を起動させることができるという利点もある。更に、注液型電池全体を均一に暖めることができるという利点もある。また、注液型電池の内部に供給される液体が加熱されるため、注液型電池における発電量を向上させることができるという利点もある。更に、少ないスペースで熱を発生させることができるという利点もある。
【００４５】
＜第６の形態＞
次に、第６の形態に係る電池システムについて図面を参照しながら詳細に説明する。なお、上記の形態において説明したものと同等のものについては、それらと同一の符号を付して説明を省略する。図７は、第６の形態に係る電池システムの構成概略図である。図７に示すように、電池システム１Ｅは、第１の加熱装置５０が、液体の温度を検知する温度センサ５２ｄと、還元剤の燃焼状態を制御する第２の制御装置５２ｃとを有する構成が、上述した第５の形態に係る電池システムと相違している。なお、本形態においては、点火装置５２ａ、第１の供給装置５２ｂ、第２の制御装置５２ｃ及び温度センサ５２ｄが協働して、第１の加熱装置５０として機能する。
【００４６】
なお、上記第２の制御装置５２ｃとしては、還元剤の燃焼状態を制御し得るものであれば特に限定されるものではなく、例えば、還元剤や酸化剤の供給量を調整する制御弁などを挙げることができる。
【００４７】
また、上記温度センサ５２ｄとしては、液体の温度を検知し得るものであれば特に限定されるものではなく、従来公知の温度センサを適宜利用することができる。なお、図示しないが、複数の温度センサを備えた構成であってもよい。
【００４８】
このように、第１の加熱装置が、燃焼可能な還元剤の燃焼を開始させる点火装置と、点火装置に還元剤を供給する第１の供給装置と、液体の温度を検知する温度センサと、還元剤の燃焼状態を制御する第２の制御装置とを有し、注液型電池の内部への液体の供給を開始するために、弁を開状態とする際に、液体の加熱を開始するために、点火装置及び第１の供給装置を作動させ、温度センサから入力される温度に応じて第２の制御装置により還元剤の燃焼状態を制御する構成とすることにより、注液型電池を内部から暖めることができ、注液型電池の迅速な起動を簡易な構成で実現することができる。また、周囲の温度環境によらず、安定して注液型電池を起動させることができるという利点もある。更に、注液型電池全体を均一に暖めることができるという利点もある。また、注液型電池の内部に供給される液体が最適な温度に加熱されるため、注液型電池における発電量をより向上させることができるという利点もある。更に、少ないスペースで熱を発生させることができるという利点もある。
【００４９】
ここで、電池システムの処理フローの他の一例を図面を用いて説明する。図８は、第６の形態に係る電池システムにおける処理フローの一例を説明するフロー図である。
【００５０】
図８に示すように、処理フローは電池システムの起動により開始される。
【００５１】
Ｓ１１においては、注液型電池における発電を開始するか否かを判断する。注液型電池における発電を開始すると判断した場合には、Ｓ１２に進む。一方、注液型電池における発電を開始しないと判断した場合には、Ｓ１８に進む。
【００５２】
Ｓ１２においては、貯留容器から供給される液体の温度が予め規定された下限温度より低いか否かを判断する。貯留容器から供給される液体の温度が予め規定された下限温度より低いと判断した場合には、Ｓ１３に進む。一方、貯留容器から供給される液体の温度が予め規定された下限温度より低くないと判断した場合には、Ｓ１４に進む。なお、規定下限温度は、予備実験により適宜設定すればよい。
【００５３】
Ｓ１３においては、着火装置を作動させ、燃焼可能な還元剤を燃焼させることによって、液体の加熱を開始して、Ｓ１４に進む。
【００５４】
Ｓ１４においては、液体の供給を開始して、Ｓ１５に進む。
【００５５】
Ｓ１５においては、加熱された液体の温度が予め規定された上限温度より高いか否かを判断する。加熱された液体の温度が予め規定された上限温度より高いと判断した場合には、Ｓ１６に進む。一方、加熱された液体の温度が予め規定された上限温度より高くないと判断した場合には、Ｓ１７に進む。なお、規定上限温度は、予備実験により適宜設定すればよい。
【００５６】
Ｓ１６においては、第２の制御装置を作動させ、燃焼状態を弱めて、Ｓ１７に進む。
【００５７】
Ｓ１７においては、発電を開始して、電池システムを終了することにより、処理フローが終了する。
【００５８】
また、Ｓ１８においては、燃焼可能な還元剤である燃料があるか否かを判断する。燃料がないと判断した場合には、Ｓ１９に進む。一方、燃料があると判断した場合には、Ｓ１１に進む。
【００５９】
Ｓ１９においては、第１の燃料供給装置に燃料を追加して、Ｓ１１に進む。
【００６０】
＜第７の形態＞
次に、第７の形態に係る電池システムについて図面を参照しながら詳細に説明する。なお、上記の形態において説明したものと同等のものについては、それらと同一の符号を付して説明を省略する。図９は、第７の形態に係る電池システムの構成概略図である。図９に示すように、電池システム１Ｆは、第１の加熱装置５０が、還元剤を有する触媒燃焼装置５３ａと、触媒燃焼装置５３ａに酸化剤を供給する第２の供給装置５３ｂとを有し、第１の制御装置６０が、第１の加熱装置５０を作動させるために、第２の供給装置５３ｂを作動させる構成が、上述した第１の形態に係る電池システムと相違している。なお、本形態においては、第２の供給装置５３ｂが、第１の加熱装置５０として機能する。
【００６１】
なお、酸化剤としては、還元剤を酸化し得るものであれば特に限定されるものではない。酸化剤としては、例えば、空気などを利用することたができる。
【００６２】
また、上記触媒燃焼装置５３ａとしては、還元剤を有するものであれば特に限定されるものではない。還元剤としては、例えば、水素より標準電極電位が低い金属（例えば、鉄粉などである。）を好適に用いることができる。
【００６３】
更に、上記第２の供給装置５３ｂとしても、酸化剤を触媒燃焼装置に供給することができるものであれば、特に限定されるものではなく、従来公知の供給装置を適宜利用することができる。
【００６４】
このように、第１の加熱装置が、還元剤を有する触媒燃焼装置と、触媒燃焼装置に酸化剤を供給する第２の供給装置とを有し、注液型電池の内部への液体の供給を開始するために、弁を開状態とする際に、液体の加熱を開始するために、第２の供給装置を作動させることにより、還元剤を酸化させて酸化熱を発生させ、注液型電池を内部から暖めることができ、注液型電池の迅速な起動を簡易な構成で実現することができる。また、周囲の温度環境によらず、安定して注液型電池を起動させることができるという利点もある。更に、注液型電池全体を均一に暖めることができるという利点もある。また、注液型電池の内部に供給される液体が加熱されるため、注液型電池における発電量を向上させることができるという利点もある。更に、少ないスペースで熱を発生させることができるという利点もある。
【００６５】
＜第８の形態＞
次に、第８の形態に係る電池システムについて図面を参照しながら詳細に説明する。なお、上記の形態において説明したものと同等のものについては、それらと同一の符号を付して説明を省略する。図１０は、第８の形態に係る電池システムの構成概略図である。図１０に示すように、電池システム１Ｇは、第１の加熱装置５０が、図示しない外部からエネルギー供給されて作動するヒートポンプの高温部５４ａを有する構成が、上述した第１の形態に係る電池システムと相違している。なお、本形態においては、高温部５４ａと、その切替弁５４ｂとが、第１の加熱装置５０として機能する。
【００６６】
このように、第１の加熱装置が、ヒートポンプの高温部と、その切替弁とを有し、注液型電池の内部への液体の供給を開始するために、弁を開状態とする際に、液体の加熱を開始するために、ヒートポンプの高温部に熱媒体が流通するように切替弁を制御することにより、注液型電池を内部から暖めることができ、注液型電池の迅速な起動を簡易な構成で実現することができる。また、周囲の温度環境によらず、安定して注液型電池を起動させることができるという利点もある。更に、注液型電池全体を均一に暖めることができるという利点もある。また、注液型電池の内部に供給される液体が加熱されるため、注液型電池における発電量を向上させることができるという利点もある。更に、少ないスペースで熱を発生させることができるという利点もある。
【００６７】
＜第９の形態＞
次に、第９の形態に係る電池システムについて図面を参照しながら詳細に説明する。なお、上記の形態において説明したものと同等のものについては、それらと同一の符号を付して説明を省略する。図１１は、第９の形態に係る電池システムの構成概略図である。図１１に示すように、電池システム１Ｈは、第１の加熱装置５０が、図示しない他の電池システムから給電されて作動する第３の加熱装置５５ａを有する構成が、上述した第１の形態に係る電池システムと相違している。なお、本形態においては、第３の加熱装置５５ａが、第１の加熱装置５０として機能する。
【００６８】
このように、第１の加熱装置が、他の電池システムから給電されて作動する第３の加熱装置を有し、注液型電池の内部への液体の供給を開始するために、弁を開状態とする際に、液体の加熱を開始するために、第３の加熱装置を作動させる構成とすることにより、複数の注液型電池を備えた電池システムにおける注液型電池を内部から暖めることができ、注液型電池の迅速な起動を簡易な構成で実現することができる。また、周囲の温度環境によらず、安定して注液型電池を起動させることができるという利点もある。更に、注液型電池全体を均一に暖めることができるという利点もある。また、注液型電池の内部に供給される液体が加熱されるため、注液型電池における発電量を向上させることができるという利点もある。更に、少ないスペースで熱を発生させることができるという利点もある。
【００６９】
＜第１０の形態＞
次に、第１０の形態に係る電池システムについて図面を参照しながら詳細に説明する。なお、上記の形態において説明したものと同等のものについては、それらと同一の符号を付して説明を省略する。図１２は、第１０の形態に係る電池システムの構成概略図である。図１２に示すように、電池システム１Ｉは、上記第１の加熱装置５０が、液体の温度を検知する温度センサ５２ｄと、第３の加熱装置５５ａを制御する第３の制御装置５５ｂとを有する構成が、上述した第９の形態に係る電池システムと相違している。なお、本形態においては、第３の加熱装置５５ａ、温度センサ５２ｄ及び第３の制御装置５５ｂが協働して、第１の加熱装置５０として機能する。
【００７０】
このように、第１の加熱装置が、他の電池システムから給電されて作動する第３の加熱装置と、液体の温度を検知する温度センサと、第３の加熱装置を制御する第３の制御装置とを有し、注液型電池の内部への液体の供給を開始するために、弁を開状態とする際に、液体の加熱を開始するために、第３の加熱装置を作動させ、温度センサから入力される温度に応じて第３の制御装置により第３の加熱装置還を制御する構成とすることにより、注液型電池を内部から暖めることができ、注液型電池の迅速な起動を簡易な構成で実現することができる。また、周囲の温度環境によらず、安定して注液型電池を起動させることができるという利点もある。更に、注液型電池全体を均一に暖めることができるという利点もある。また、注液型電池の内部に供給される液体が最適な温度に加熱されるため、注液型電池における発電量をより向上させることができるという利点もある。更に、少ないスペースで熱を発生させることができるという利点もある。
【００７１】
以上、本発明を若干の形態によって説明したが、本発明はこれらに限定されるものではなく、本発明の要旨の範囲内で種々の変形が可能である。
【００７２】
例えば、上述した各形態に記載した構成は、各形態毎に限定されるものではなく、例えば第１の加熱装置の構成を変更したり、各形態の構成を上述した各形態以外の組み合わせにしたりすることができる。
【符号の説明】
【００７３】
１，１Ａ〜１Ｉ  電池システム
１０  貯留容器
２０  注液型電池
３０  液体供給流路
４０  弁
５０  第１の加熱装置
５１ａ  物質
５１ｂ  結晶化開始装置
５１ｃ  相センサ
５１ｄ，５２ｄ  温度センサ
５１ｅ  第２の加熱装置
５２ａ  点火装置
５２ｂ  第１の供給装置
５２ｃ  第２の制御装置
５３ａ  触媒燃焼装置
５３ｂ  第２の供給装置
５４ａ  高温部
５４ｂ  切替弁
５５ａ  第３の加熱装置
５５ｂ  第３の制御装置
６０  第１の制御装置
【図１】
2015115098.tif 000003
【図２】
2015115098.tif 000004
【図３】
2015115098.tif 000005
【図４】
2015115098.tif 000006
【図５】
2015115098.tif 000007
【図６】
2015115098.tif 000008
【図７】
2015115098.tif 000009
【図８】
2015115098.tif 000010
【図９】
2015115098.tif 000011
【図１０】
2015115098.tif 000012
【図１１】
2015115098.tif 000013
【図１２】
2015115098.tif 000014